(57)【要約】【課題】  補給レールの搬送面に沿って並べた回転ディスクの回転によって、遊技媒体が水平搬送されるように形成した水平搬送装置にあって、この補給レールを、迅速な連結手段を有したレールユニットの連結でもって構成する。【解決手段】  補給レール１は、基本的に回転ディスク３に直結した駆動歯車１７と、その間に配設されて回転力を伝達する中間歯車１８とにより構成されている。ユニット化されたレールユニット２の一端には、連結用中間歯車１９が、これと歯合する駆動歯車１７の回転軸８ａを中心として回動する回動アーム２２により支持される。他端には、回転軸８ａを中心として回動する係止アーム２３が装着される。係止アーム２３の係止溝２４に連結用中間歯車１９の回転軸８ｃ部を嵌挿させることにより、連結部においても他の箇所と同様に機能する回転伝達が行われる。【選択図】  図５
2005111209.tif 000002
【特許請求の範囲】
【請求項１】
遊技機を並列して形成した遊技機島の上部に架設される補給レール内には、搬送面に沿って並置された回転ディスクと、前記回転ディスクに付設された駆動歯車と、隣接する前記駆動歯車の間に配設されて回転力を伝達する中間歯車とが備わり、前記回転ディスクの回転によって、前記遊技機に補給すべき遊技媒体が前記補給レールの一端から他端に向かって順次搬送されるように構成された遊技媒体の水平搬送装置において、
前記補給レールは、レールユニットの連結により形成されたものであって、
前記レールユニットの一端には、この端部に備わる回転ディスクの駆動歯車と歯合するとともに、この回転ディスクの回転軸を中心として回動自在に形成された連結用中間歯車が装着され、
前記レールユニットの一端には、この端部に備わる回転ディスクの回転軸を中心として回動自在に形成された係合部材が装着され、
前記係合部材に前記連結用中間歯車の回転軸部を嵌挿し、前記連結用中間歯車が中間歯車として機能するように構成することにより、二本の前記レールユニットが連結されることを特徴とする遊技媒体の水平搬送装置。
【請求項２】
前記連結用中間歯車は、前記回転ディスクの回転軸を中心として回動自在に形成された回動アームによって支持されていることを特徴とする請求項１に記載の遊技媒体の水平搬送装置。
【請求項３】
前記係合部材は、前記回転ディスクの回転軸を中心として回動自在に延伸させた係止アームであって、その先端部に前記連結用中間歯車の回転軸部が嵌挿される係止溝を備えていることを特徴とする請求項１または請求項２に記載の遊技媒体の水平搬送装置。
【請求項４】
前記係止アームは、前記係止溝が前記連結用中間歯車の回転軸部と係合する方向に弾性部材によって付勢されていることを特徴とする請求項１〜請求項３のいずれかに記載の遊技媒体の水平搬送装置。
【請求項５】
前記レールユニットは、前記係止アームおよび前記連結用中間歯車が配設された端部において、前記係止アームに備わる前記係止溝が付勢を受ける前方方向には側壁が設けられないことを特徴とする請求項１〜請求項４のいずれかに記載の遊技媒体の水平搬送装置。
【請求項６】
前記レールユニットにおいて側壁の設けられない箇所は蓋体により蓋をされ、着脱式のクリップによって側壁に固定されることを特徴とする請求項１〜請求項５のいずれかに記載の遊技媒体の水平搬送装置。
【発明の詳細な説明】
【技術分野】
【０００１】  本発明は、並列させた回転ディスクを用いることでもって、遊技機島に載置される補給レールの水平設置を実現させた遊技媒体の水平搬送装置に関し、特にレールユニットを連結して補給レールを構成した際の連結手段に関する。
【背景技術】
【０００２】  パチンコに代表される遊技機は、通常、複数の遊技機を列設して構成される遊技機島に組み込まれる。遊技ホールでは、この遊技機島をレイアウトして遊技施設として提供している。遊技機島の上部には、それぞれの遊技機に遊技媒体を供給するための補給レールが架設される。また、遊技機島の下部には、ゲームを終えて使用済みとなった遊技媒体を回収するための回収レールが収納される。そして、ゲームをして使用済みとなった遊技媒体は、回収レールによって一旦補給タンクに集められたのち、モータ駆動の揚送装置によって上部へと揚送され、補給レール内に排出されることにより、再度ゲームに回されるといった循環システムが構築されている。【０００３】  従来、パチンコ玉のように球体をなす遊技媒体の場合、補給レール内での搬送方法は、搬送面を傾斜させて自然な転がり作用を利用するものであった。しかしながら、このような搬送方法は、傾斜を確保するために遊技機島の上部を高くする必要があり、しかも補給径路が長くなるほど、必要とする高さが高くなるという問題があった。このため、遊技機島によって防犯カメラの視界が遮られたり、遊技ホール内に照明が行き届かなくなったりするなど、遊技ホールの内装設備やレイアウトの自由度が制限され、これを解消するために余計な対応を強いられていた。また、高さの高い遊技機島は、遊技客に圧迫感を与えるものでもあった。【０００４】  この問題を解消するために新たに登場したのが、遊技媒体の水平搬送装置である。水平搬送装置であれば、補給径路の長さに関係なく遊技機島を一定の高さに抑えることができるからである。このような水平搬送装置の一例として、搬送ベルトを利用した技術（特許文献１参照）が開示されている。しかしながら、このような搬送ベルトやチェーンなどを利用する構造のものは、一旦設計し製作した後から補給径路の長さを変更することの難しさや、湾曲した配置の遊技機島に対応できないなど、融通性に欠けるという短所を有したものとなっている。また、故障や保守の際、補給レール全体に及ぶ修理や部品交換が必要となる場合もあり、それに要する時間やコストの面で改善の余地があった。【０００５】
【特許文献１】  特開平６−３９１３６号公報
【発明の開示】
【発明が解決しようとする課題】
【０００６】  本発明者は、補給レールの搬送面に、長手方向に沿って並べた回転ディスクを回転させたときの回転力および遠心力と、搬送面の途中に適宜配設したガイドによる遊技媒体の誘導作用とによって、球体をなす遊技媒体が、補給レールの一端から他端に向かって順次搬送されるとともに、搬送路の途中に配置した補給シュートを通じて各遊技機に供給されるという構成の遊技媒体の水平搬送装置を既に実現し提供している。この水平搬送装置は、遊技機島の一端に設置した駆動モータによって回転が与えられ、回転ディスクに付設された駆動歯車と、隣接する２枚の回転ディスクの間に配設されて双方の駆動歯車と歯合させた中間歯卓とによって、順繰りに回転が伝達される仕組みとなっている。【０００７】  このような駆動歯車と中間歯車とを利用した回転の伝達手段は、適当な単位長さのレールユニットに分割化することが可能であるはずであるから、これが実現すれば、レールユニットを繋ぎ合せることによって様々な長さの遊技機島に対応することが可能となる。また、補給レールに不具合が生じた場合には、当該部分のレールユニットを交換するだけで修復できるはずである。【０００８】  しかしながら、これまでの水平搬送装置は、連結箇所もその他の非連結箇所と同様、連結用の中間歯車を一定位置に固定するという保持構造を採用していたので、ユニット化という構想には至らなかった。このような従来の補給レールは、連結箇所を最小箇所に抑えようとするために、できる限り長く設計されてきた。しかも連結箇所の組立に時間と技術を要していた。本発明が目的とするところは、このような問題を解決して、連結および連結の解除を迅速かつ確実に行うことのできるユニット化された補給レールを提供することにある。
【課題を解決するための手段】
【０００９】  本発明は、上記の課題に鑑みなされたもので、遊技機を並列して形成した遊技機島の上部に架設される補給レール内には、搬送面に沿って並置された回転ディスクと、前記回転ディスクに付設された駆動歯車と、隣接する前記駆動歯車の間に配設されて回転力を伝達する中間歯車とが備わり、前記回転ディスクの回転によって、前記遊技機に補給すべき遊技媒体が前記補給レールの一端から他端に向かって順次搬送されるように構成された遊技媒体の水平搬送装置において、前記補給レールは、レールユニットの連結により形成されたものであって、前記レールユニットの一端には、この端部に備わる回転ディスクの駆動歯車と歯合するとともに、この回転ディスクの回転軸を中心として回動自在に形成された連結用中間歯車が装着され、前記レールユニットの一端には、この端部に備わる回転ディスクの回転軸を中心として回動自在に形成された係合部材が装着され、前記係合部材に前記連結用中間歯車の回転軸部を嵌挿し、前記連結用中間歯車が中間歯車として機能するように構成することにより、二本の前記レールユニットが連結されることを特徴とする。【００１０】  また、前記連結用中間歯車は、前記回転ディスクの回転軸を中心として回動自在に形成された回動アー厶によって支持されていることを特徴とする。また、前記係合部材は、前記回転ディスクの回転軸を中心として回動自在に延伸させた係止アームであって、その先端部に前記連結用中間歯車の回転軸部が嵌挿される係止溝を備えていることを特徴とする。さらに、前記係止アームは、前記係止溝が前記連結用中間歯車の回転軸部と係合する方向に弾性部材によって付勢されていることを特徴とする。【００１１】  また、前記レールユニットは、前記係止アームおよび前記連結用中間歯車が配設された端部において、前記係止アームに備わる前記係止溝が付勢を受ける前方方向には側壁が設けられないことを特徴とする。さらに、前記レールユニットにおいて側壁の設けられない箇所は蓋体により蓋をされ、着脱式のクリップによって側壁に固定されることを特徴とする。
【発明の効果】
【００１２】  この発明の遊技媒体の水平搬送装置は、遊技機島の上部に架設される補給レールを、レールユニットの繋ぎ合わせでもって構成することを可能としたので、補給レールの長さにとらわれることなく自在に対応することができるようになる。そして、補給レールに故障などの不具合や保守のための部品交換などの必要が生じても、当該部分のレールユニットを交換するだけでよいので、素早く対応することができる。しかも、修理が補給レール全体に及ぶことなく、ユニット単位で済むので経済的である。さらに、ユニット化されたレールは、量産ができ、標準在庫も可能であるから、この点においても経済的である。交換の実務でも、レールユニットは、迅速かつ確実に連結できる構成となっているので、修理のための遊技機島の停止時間が短くて済む。【００１３】  レールユニットは、連結部で方向変換することが可能であり、湾曲した遊技機島にも、より融通性をもって対応する補給レールを提供することができる。また、回転ディスクに近接して配設したガイドの作用によって、補給シュートが補給レールのどちら側に備わっていようとも、遊技媒体は供給されるので、両面式の遊技機島を形成することができる。もちろん、従来の水平搬送装置と同様に、遊技機島の上部を低く抑えることができて見通しに優れるという特長は、ベルト搬送方式と比べ優るとも劣らない。【００１４】  この水平搬送装置は、並列させた駆動歯車の間に配設した中間歯車を仲介して次々と駆動歯車を回転させ、駆動歯車と直結した回転ディスクの回転力でもって遊技媒体を搬送させるというものであり、レールユニットの連結部に、浮動性を有した連結用中間歯車を採用することにより、上記のような効果が発揮されるように構成したものである。そして、具体的な実現方法として、連結用中間歯車を保持する回動アームと、連結用中間歯車の回転軸に係合する係止アームを採用することによって、確実かつ迅速な連結および連結からの解除を可能としたのである。なお、係止アームに付設される弾性部材は、その付勢力によって、連結作業における操作性の向上と、連結後の歯車の安定的な歯合状態の維持に効果を発揮している。【００１５】  連結作業は、連結箇所に形成したレールユニット側壁の空いた部分から行う。この部分は、水平搬送装置の稼動中は着脱自在な蓋体で覆うようにする。その最も簡単で優れた方法として、蓋体をクリップで固定する方法が採用されている。
【発明を実施するための最良の形態】
【００１６】  次に、本発明の最良の実施形態について、図を参照しながら説明する。図１は、本発明水平搬送装置における補給レールの一部であるレールユニットを示す上面図であって、構造を説明するために、左から右に上部の装着部品が順次取り除かれた場面が示されている。図２は、図１と同じ上面図であるが、歯車の歯合状態を説明するために、さらに簡略化して要部のみを示した図としている。図３は、レールユニットを示す正面図であって、レールユニットの側壁が取り外されたときの図である。図４は、図３に示すレールユニットに側壁を取り付けたときの図である。図５は、ニつのレールユニットを連結したときの連結部分の要部を示す上面図である。図６は、図５の正面図である。【００１７】  これらの図において、補給レール１は、遊技機（図示せず）を並列させて形成した遊技機島（図示せず）の上に架設されるものである。この補給レール１は、レールユニット２を連結して形成されるもので、レールユニット２には、複数の回転ディスク３が搬送面４の長手方向に沿って並置されている。レールユニット２における回転ディスク３の枚数は任意に選択することができる。この実施形態では回転ディスク３は三枚としている。なお、本発明は、回転ディスク３が一枚であってもユニットとして成立する。【００１８】  レールユニット２の筐体は、天板５ａと、２枚の側壁５ｂおよび５ｃと、底板５ｄとによって囲まれた大略箱樋状に形成されている。特に天板５ａは、蓋として着脱可能に形成される。さらに、大略箱樋状をなす筐体の内部は、水平に渡した仕切り板６によって、後述する回転ディスク３の回転伝達機構が収納される下部と、パチンコ玉のような球体からなる遊技媒体（図示せず）の搬送路が形成される上部とに分割されている。【００１９】  図１および図３に示すように、仕切り板６には、半円状に繰り抜かれた嵌合プレート７が載置されて、向き合わせて置かれた半円同士で円形状の繰り抜き空間を形成している。図１における右側の図は、このときの状態を示したものである。円形状の中心部には、レールユニット２の下部に収納された回転軸８ａの上端面が、仕切り板６に開口する穴より覗いている。回転軸８ａの上端面には、中心にネジ穴９が穿設され、これを挟んだ対向位置にキー１０が突設されている。なお、嵌合プレート７は、通常、合成樹脂によって作られる。また、嵌合プレート７が完全な円形を形成しないで切り欠かれている部分は、微小ゴミを外に排出するためのゴミ排出溝１１である。【００２０】  回転軸８ａの上端面には、円板形をした金属製のアダプタプレート１２が載置されている。図１における中央の図は、このときの状態を示したものである。アダプタプレート１２の中央部には角穴が付設され、回転軸８ａの上端面に突出した前記キー１０と嵌合している。一方、アダプタプレートｌ２の上面には、回転ディスク３に回転力を伝達するための円形の回転伝達駒１３が、三箇所から突出して設けられている。【００２１】  図１の左側の図は、回転ディスク３が装着された状態を示している。回転ディスク３は、通常、円板状を呈した合成樹脂からなり、嵌合プレート７によって形成された前記円形状の繰り抜き空間に、所定のクリアランスを有して嵌挿される。このとき、回転ディスク３の上面と嵌合プレート７の上面とは同一平面に配設されて、遊技媒体の搬送面４を形成している。また、回転ディスク３の下面には止まり穴が穿設されていて、アダプタプレート１２より突設させた前記三つの回転伝達駒１３と嵌合している。【００２２】  アダプタプレート１２と回転ディスク３とは、回転ディスク３の中心を貫通する穴を通じて、回転軸８ａの上端面に設けたネジ穴９と螺合する締付ネジ１４によってネジ締め固定される。このとき、締付ネジ１４の頭部も、回転ディスク３の上面と同一平面となる平坦面に形成される。そして、以上のような構成によって、回転軸８ａの回転が、アダプタプレート１２を仲介して、回転ディスク３の回転として伝わることになる。【００２３】  回転ディスク３は、総て同一方向に回転するように形成される。図１において、回転ディスク３の反時計回り（矢印Ｒの方向）の回転によって、遊技媒体は、複雑な挙動を伴いながら、全体として左から右（矢印Ｆの方向）に搬送されることになる。つまり、搬送路には、回転ディスク３の回転が矢印Ｆとは反対向きとなる側（側壁５ｃに近い側）に、回転ディスク３の位置ごとにガイド１５が配設される。このガイド１５は、回転ディスク３の半径にほぼ等しい長さを有し、その長手方向を回転ディスク３の略半径方向に合わせて取り付けられる。このとき、ガイド１５の底面側は、回転ディスク３の上面に近接して配設される。このガイド１５は、具体的には、例えば、大略箱樋状をなすレールユニット２の天板５ａに取り付けられる。【００２４】  ガイド１５の役割は、逆流しようとする遊技媒体の流れを遮って、その一部を側壁５ｃの側に配設した補給シュート（図示せず）の補給口へと誘導することにある。そして、補給シュートが補給を要求した場合には、常時供給できる体制を整えておくことにある。しかしながら、補給の要求がないときに、遊技媒体が堰き止められたまま滞留することは、遊技媒体の全体的な流れを阻害することになるので、避けなければならない。【００２５】  そこで、ガイド１５は、遊技媒体が後方から押圧されたときに逃げ出すことのできる逃げ道を確保して、流動を促す形状に設計される。逃げ道の作り方にはニ通りの考え方がある。その一つは、ガイドに誘導されて、その両脇に遊技媒体を逃がす方法である。もう一つは、堰堤を築いておいて、遊技媒体が後方から押圧を受けた場合に、堰堤を乗り越えるように形成する方法である。ここでは、前者について例示する。【００２６】  ガイド１５は、図１に示したように、略直角三角形をした厚板状ブロックからなり、略直角部にある頂稜１６を、逆流しようとする遊技媒体の流れに向かって取り付けられる。遊技媒体は、ガイド１３に行く手を阻まれ、頂稜１６にて２方向に振り向けられる。その一方は、回転ディスク３の中心側に押し出されて、再び搬送方向の流れに乗るようになる。もう一方は、回転ディスク３の外方に向かって送り出され、補給シュートに供給される。補給シュートが補給を要求していないときは、ガイド１５と補給レール１の側壁５ｃとの間に設けた間隙を逃げ道としてガイド１５の背面側（略直角三角形の斜辺の後側）に押し出されたのち、回転ディスク３��回転に乗って再び搬送方向に引き戻される。【００２７】  上記のような状況が回転ディスク３のそれぞれで繰り返し起きて、全体として遊技媒体が左から右（矢印Ｆの方向）に搬送されることになる。補給レール１の側壁沿いの随所には、補給シュートが配設されており、搬送途中にある遊技媒体は、その補給口を通じて遊技機に供給されることになる。しかも、この発明の補給レール１は、遊技媒体が搬送面４の片側に偏って流れることがなく、補給シュートが側壁５ｂ，５ｃのいずれの側に取り付けられていても供給することができるので、補給レール１一本で両面式の遊技機島に対応できる構造となっている。【００２８】  図２は、駆動歯車１７と中間歯車１８との歯合状態を表している。駆動歯車１７は、回転ディスク３と回転軸８ａを共有しており、駆動歯車１７の回転がそのまま回転ディスク３を回転駆動させる。中間歯車１８は、隣接するニつの駆動歯車１７と同時に歯合しており、駆動歯車１７の回転を次の駆動歯車１７へと順次伝達する。したがって、総ての駆動歯車１７と中間歯車１８とが歯合して補給レール１として一本となったときは、その最も端に位置する回転ディスク３をモータ駆動により回転させることによって、総ての回転ディスク３が回転するようになる。【００２９】  レールユニット２の一端には、連結用中間歯車１９を装着させる。連結用中間歯車１９は、中間歯車１８と同じ形状を有し、レールユニット２が連結された後は中間歯車１８と同じ作用を有するものである。中間歯車１８および連結用中間歯車１９は、それぞれ回転軸８ｂ，８ｃによって軸支されている。【００３０】  図３に示すように、駆動歯車１７の回転軸８ａは、レールユニット２の底板５ｄおよび仕切り板６に、ベアリング２０を介して回転自在に保持されている。中間歯車１８の回転軸８ｂは、レールユニット２の底板５ｄと仕切り板６に装着した取付台２１を台座とし、ベアリング２０によって回転自在に保持されている。さらに、連結用中間歯車１９の回転軸８ｃも、ベアリング２０を介して回転自在に保持されている。しかし、回転軸８ｃは、下記のように、一箇所に位置決めされたものではなく、浮動性を有している。【００３１】  連結用中間歯車１９は、駆動歯車１７と歯合するとともに、連結用中間歯車１９の回転軸８ｃの中心が、駆動歯車１７の回転軸８ａを中心とした円弧を描いて回動するように構成される。そして、その最も確実かつ簡単な実現方法は、駆動歯車１７の回転軸８ａから延伸させた回動アーム２２を利用するものである。すなわち、長尺平板状に形成された二枚の回動アー厶２２が、ベアリング２０を介して回転軸８ａに装着され、その先端部において連結用中間歯車１９の回転軸８ｃを挟持するというものである。【００３２】  レールユニット２の反対側端部には、係合部材が装着される。この係合部材は、駆動歯車１７の回転軸８ａを中心とする円弧を描いて回動し、連結用中間歯車１９の回転軸８ｃと係合して位置決めすることのできる係合把持部を有している。そして、その最も確実かつ簡単な実現方法は、回転軸８ａから延伸させた係止アーム２３を利用するものである。すなわち、長尺平板状に形成された一枚の係止アーム２３が、ベアリング２０を介して��転軸８ａに装着され、その先端部には連結用中間歯車１９の回転軸８ｃと係合する位置に係止溝２４が切欠きされている。【００３３】  係止アーム２３には弾性部材が付設され、係止溝２４が回転軸８ｃと係合する方向に付勢されている。弾性部材として、この実施例ではコイルバネ２５が採用され、係止アーム２３の回転中心よりも後側で引張っている。コイルバネ２５を回転中心より前側に装着する場合は、付勢方向の手前側から引張る。また、弾性部材としてゴ厶や板バネなどを利用したものであってもよい。【００３４】  ところで、レールユニット２は、本実施形態では、一本のレールユニットの両端に回動アームと係止アームがそれぞれ装着されている。このほか、両端が回動アームだけのレールユニットと、両端が係止アームだけのレールユニットの二種類を用意し、これを交互に組み合わせて補給レールに構成することもできる。【００３５】  レールユニット２の下部を覆う側壁５ｂは、図４に示すように、レールユニット２の両端部に空きが形成されるように短尺に形成される。この側壁５ｂに覆われない空間は、連結作業時の窓となるものである。連結作業の手順は、作業窓が空いている状態で、まず、二本のレールユニット２を遊技機島の所定の位置に並べ置いて固定する。そのあと、手先を作業窓から差し入れて、係止アーム２３をコイルバネ２５の付勢力に抗して奥の方に押し込む。【００３６】  次に回動アーム２２を手前側から奥の方に回動させて、連結用中間歯車１９をニつの駆動歯車１７と歯合させる。歯車の噛合いが正しく行われたことを確認したのち、係止アーム２３を押す力を緩め、その先端に配設した係止溝２４を連結用中間歯車１９の回転軸８ｃに嵌挿させれば、コイルバネ２５の付勢力でもって把持された状態のまま、安定的に歯車の歯合が維持される。なお、連結状態を解除するときも、係止アーム２３を奥の方に押し込むことにより、容易に嵌挿状態から外すことができる。【００３７】  連結作業を終えたら、図５および図６に示すように、蓋体２６により作業窓に蓋をする。蓋体２６は、蓋体２６から側壁５ｂに貫通して穿設された穴に着脱式のクリップ２７を差し込むことにより行われる。この方法によれば、迅速に蓋をすることができ、取り外すときも容易である。そして、以上に説明した一連の構成が総合されて、レールユニット２の連結作業を迅速に行うことができるようになり、補給レール１のさまざまな長さに対応でき、故障や保守に素早く対応することのできる遊技媒体の水平搬送装置を提供できるようになる。【００３８】  また、本発明によれば、レールユニット２の筐体端面を斜めにカットして連結しても、連結用中間歯車１９が浮動性を有しているため、直線上に繋げた場合とは異なる位置に位置決めされながらもニつの駆動歯車１７と同時に歯合できるという関係は保たれるから、当該連結箇所において補給レール１の方向を変換することが可能であり、曲面状に湾曲した遊技機島にも対応できるようになる。
【図面の簡単な説明】
【００３９】
【図１】  本発明水平搬送装置における補給レールのレールユニットを示す上面図である。
【図２】  歯車の歯合状態を説明するために要部のみを示した上面図である。
【図３】  補給レールのレールユニットを示す正面図である。
【図４】  図３のレールユニットに側壁を取り付けたときの正面図である。
【図５】  ニつのレールユニットの連結部分の要部を示す上面図である。
【図６】  図５の正面図である。
【符号の説明】
【００４０】１  補給レール
２  レールユニット
３  回転ディスク
７  嵌合プレート
８ａ，８ｂ，８ｃ  回転軸
１５  ガイド
１７  駆動歯車
１８  中間歯車
１９  連結用中間歯車
２２  回動アーム
２３  係止アーム
２４  係止溝
２５  コイルバネ
２６  蓋体
２７  クリップ
【図１】
2005111209.tif 000003
【図２】
2005111209.tif 000004
【図３】
2005111209.tif 000005
【図４】
2005111209.tif 000006
【図５】
2005111209.tif 000007
【図６】
2005111209.tif 000008